(57)【要約】【課題】  駅係員及び利用者への案内性を高めることのできる自動改札機を提供する。【解決手段】  乗車券類に記憶されているデータを基に入出場処理のための所定の演算処理を行うとともに、その演算処理の演算結果により改札通路の通過許可又は通過不許可の判定を行う自動改札機であって、その自動改札機の本体の改札通路の入口側又は出口側の一方の端面に表示板を設けるとともに、通過不許可の判定のときにその表示板にその不許可の原因の内容を表示する表示制御手段を設けている。【選択図】        図１
2006227883.tif 000002
【特許請求の範囲】
【請求項１】
乗車券類に記憶されているデータを基に入出場処理のための所定の演算処理を行うとともに、その演算処理の演算結果により改札通路の通過許可又は通過不許可の判定を行う自動改札機であって、
前記自動改札機の本体の改札通路の入口側又は出口側の一方の端面に表示板を設けるとともに、通過不許可の判定のときにその表示板にその不許可の原因の内容を表示する表示制御手段を設けたことを特徴とする自動改札機。
【請求項２】
請求項１に記載の自動改札機において、前記表示板は、前記改札通路への侵入禁止又は侵入許可を表示する侵入表示板と兼用されていることを特徴とする自動改札機。
【請求項３】
請求項１に記載の自動改札機において、前記表示板は、前記改札通路への侵入禁止又は侵入許可を表示する侵入表示板の設けられている方の端面と異なる方の端面に設けられていることを特徴とする自動改札機。
【請求項４】
請求項１乃至３のいずれかに記載の自動改札機において、通過許可の判定のときに、前記表示板に通過不許可のときの内容と異なる広告等の所定の案内を表示することを特徴とする自動改札機。
【請求項５】
請求項１乃至４のいずれかに記載の自動改札機において、通過不許可の判定のときに、前記自動改札機の本体の上面に設けられている報知灯が点灯制御されることを特徴とする自動改札機。
【発明の詳細な説明】
【技術分野】
【０００１】
本発明は自動改札機に係り、特に係員又は利用者に対する案内を向上させたものに関する。
【背景技術】
【０００２】
従来、この種の自動改札機には、その自動改札機の本体の上面の一部に表示画面が設けられていて、その表示画面を介して利用者（旅客）に対してＳＦカードの残額や改札通路の通過が不許可になったときの原因、例えば有効期間切れ、あるいは乗越し等の案内が行われるように構成されている（特許文献１参照）。
【０００３】
また従来の自動改札機は、その自動改札機の本体の改札通路の入口側又は出口側の端面に進入を許可するマーク又は進入を禁止するマークを表示する進入表示板を設けて、改札通路への利用者の誘導案内を行うように構成されている（特許文献２参照）。
【０００４】
ところで、近年、接客サービスの向上を図るために、特に大型の駅においては、改札口近くに案内係員（駅員）を配置するようになってきている。したがって案内係員は、ドアが閉じられている改札通路内に立ち往生している利用者がいるときに、そのドアの閉じられている自動改札機の本体の表示画面の内容に基づいて適切な案内、例えば乗越しであるので精算処理をするように等の案内を行うことができる。
【０００５】
【特許文献１】特開平１０−３２６３６３号公報
【特許文献２】特開平１１−２５０２８９号公報
【発明の開示】
【発明が解決しようとする課題】
【０００６】
しかしながら、上記従来の自動改札機は、改札通路の通過が拒否されたときに、その拒否の原因となった理由が表示画面に表示されるようになっているが、改札口近くにいる案内係員は、この表示画面の内容を表示画面のところまで行かなければ確認できず、利用者への適切な案内に時間を要する欠点があった。この案内に要する時間が長くなると、その分だけ改札通路から利用者が退出するタイミングが遅れて改札通路の混雑を助長するおそれがあった。
【０００７】
そこで本発明は、上記欠点を解決するためになされたものであって、その目的は、案内係員に改札通路の通過が許否された原因を容易に知らせることができ、また利用者への案内性を高めることのできる自動改札機を提供することにある。
【課題を解決するための手段】
【０００８】
本発明に係る自動改札機は、上記の目的を達成するために、請求項１に記載の発明は、乗車券類に記憶されているデータを基に入出場処理のための所定の演算処理を行うとともに、その演算処理の演算結果により改札通路の通過許可又は通過不許可の判定を行う自動改札機であって、前記自動改札機の本体の改札通路の入口側又は出口側の一方の端面に表示板を設けるとともに、通過不許可の判定のときにその表示板にその不許可の原因の内容を表示する表示制御手段を設けていることを特徴としている。
本発明の請求項２に記載の自動改札機では、前記表示板は、前記改札通路への侵入禁止又は侵入許可を表示する侵入表示板と兼用していることを特徴としている。
請求項３に記載の発明は、自動改札機において前記表示板は、前記改札通路への侵入禁止又は侵入許可を表示する侵入表示板の設けられている方の端面と異なる方の端面に設けられていることを特徴としている。
請求項４に記載の発明は、自動改札機において、通過許可の判定のときに、前記表示板に通過不許可のときの内容と異なる広告等の所定の案内を表示することを特徴としている。
請求項５に記載の発明は、自動改札機において、通過不許可の判定のときに、前記自動改札機の本体の上面に設けられている報知灯が点灯制御されることを特徴としている。
【発明の効果】
【０００９】
本発明の請求項１に記載の自動改札機は、自動改札機の本体の改札通路の入口側又は出口側の一方の端面に表示板を設けるとともに、通過不許可の判定のときにその表示板にその不許可の原因の内容を表示する表示制御手段を設けているので、改札口の入口側又は出口側においても改札通路の通過が不許可になった理由が表示されるから、改札口に案内係員がいるときは、利用者に対して速やかに適切な案内を行うことができ、改札口の混雑を未然に防止することができる。
本発明の請求項２に記載の自動改札機において、表示板は、改札通路への侵入禁止又は侵入許可を表示する侵入表示板と兼用しているので、表示板を安価に実現することができる。
本発明の請求項３に記載の自動改札機において、表示板は、改札通路への侵入禁止又は侵入許可を表示する侵入表示板の設けられている方の端面と異なる方の端面に設けられているので、空いている方の端面を利用して容易に実現することができる。
本発明の請求項４に記載の自動改札機は、通過許可の判定のときに、表示板に通過不許可のときの内容と異なる広告等の所定の案内を表示するので、表示板の有効利用を図ることができるとともに、利用者への案内性をより高めることができる。
本発明の請求項５に記載の自動改札機は、通過不許可の判定のときに、自動改札機の本体の上面に設けられている報知灯が点灯制御されるので、通過不許可となった自動改札機の本体を速やかに特定することが可能となる。
【発明を実施するための最良の形態】
【００１０】
以下、本発明を実施するための最良の形態を図面に基づいて説明する。図１は、一実施の形態に係る自動改札機の本体（以下、「改札機本体」という。）Ｇの改札通路Ｐの出口側の一部分の斜視図である。この改札機本体Ｇは、周知の改札機本体と同様に、改札通路Ｐを挟んで設置される一対の筐体Ｇ1，Ｇ2から構成されている。
【００１１】
この改札機本体Ｇは、入場専用又は出場専用として示されているが、入場用にも出場用にも使用される双方向型であってもよい。ただし改札機本体Ｇが双方向型のときは、後述する表示板は改札通路Ｐの入口側及び出口側の双方に設けられる。
【００１２】
図１中、１は取出口であり、筐体Ｇ1の出口側寄りの上面に設けられていて、筐体Ｇ1の図示しない入口側上部に設けられている投入口から投入された普通乗車券、ＳＦカード又は定期券等の磁気券を排出できるように構成されている。したがって図示しないが、この筐体Ｇ1の内部には、投入口から投入された磁気券を取出口１又は筐体Ｇ1内に設けられている図示しない集札箱まで搬送するカードハンドラが設けられている。また、筐体Ｇ1の図示しない入口側上面には、無線通信機能を備えた非接触券（非接触型ＩＣカード）と交信するためのアンテナ（後述する図２のアンテナＡ参照）が設けられている。
【００１３】
図１中、２は表示画面であり、筐体Ｇ1の出口側上面に設けられていて、改札通路Ｐ内の利用者に所定の内容、例えばＳＦカードの残額等が表示されるように構成されている。また図１中、３はＬＥＤ（発光ダイオード）又は電球等の光源を有する報知灯であって、筐体Ｇ1の上面から少し突出して設けられているセンサ取付部Ｇ´の改札通路Ｐの出口側に設けられていて、乗車券類（本発明で乗車券類というときは、上述の磁気券及び非接触券を含んでいる。）が子供券の場合に白色に点灯し、乗車券類が無効券（無札者を含む）の場合に赤色に点灯するように構成されている。
【００１４】
図１中、Ｄ1は、筐体Ｇ1の改札通路Ｐの出口側側面に回動自在に設けられたドアであり、Ｄ2は、そのドアＤ1と対向するように筐体Ｇ2に回動自在に設けられたドアである。これらドアＤ1，Ｄ2は、図示のように回動したときは改札通路Ｐが閉止され、改札通路Ｐの利用者の通過が阻止されるように構成されている。また、これらドアＤ1，Ｄ2が各筐体Ｇ1，Ｇ2側にそれぞれ回動したときは、改札通路Ｐが開かれて改札通路中の利用者の通過が許可されるように構成されている。
【００１５】
図１中、４は進入表示板であって、筐体Ｇ2の出口側の端面（改札通路Ｐの床面と垂直な面）Ｇａに設けられている。この進入表示板４に表示されている表示内容は、図示の改札機本体Ｇが入場専用又は出場専用の専用型であるので進入禁止マークが表示される。なお、このように専用型のときは、マークの表示は固定型とすることができる。
【００１６】
図１中、５は、本発明の特徴をなす表示板であって、表示内容を変化させることのできる可変表示板から構成され、筐体Ｇ1の端面Ｇａに、すなわち、上記進入表示板４と改札通路Ｐを挟んだ対称位置に設けられている。図示の例では、表示板５及び上記ランプ３は点灯している状態を示している。
【００１７】
なお、図１に示される改札機本体Ｇには、利用者に対して音声により所定の内容を案内するスピーカ、及び改札通路Ｐ内の利用者を検知する人間検知器等も設けられているが、ここでは省略されている。
【００１８】
図１中、Ｃは、改札機本体Ｇの制御動作を司どる筐体Ｇ1内に設けられた制御器であり、図２に示されるように、ＣＰＵを中心に形成される演算部１０を有している。この演算部１０は、メモリ１１に記億されているシステムプログラム及びワーキングデータを用いて所定の演算処理を行えるように構成されている。そして、この演算部１０には、図示しないＩ／Ｏ装置を介してカードハンドラを駆動制御するカードハンドラドライバ１２と、ドアＤ1，Ｄ2のドア駆動機構を駆動制御するドアドライバ１３と、表示画面２の表示内容を駆動制御する表示画面ドライバ１４と、ランプ３の点灯を駆動制御する報知灯ドライバ１４と、表示板５の表示内容を駆動制御する表示板ドライバ１６とが接続されている。またこの演算部１０には、非接触券を処理するためのリーダライタ１７も接続されている。このリーダライタ１７には、非接触券と交信を行うためのアンテナＡが接続されている。そしてこのアンテナＡは、非接触券とデータ授受を行う機能と、非接触券に電力を供給するための機能とを有している。なお、この演算部１０には、進入表示板４が可変表示板からなるときは、その進入表示板４を駆動制御するドライバが接続されるとともに、人間検知器のセンサアンプ等も接続されているが、ここでは省略されている。
【００１９】
上記構成からなる自動改札機において、改札機本体Ｇに投入した、又はその改札機本体Ｇとの間で交信された乗車券類がＣＰＵ１０の入出場（入場又は出場を意味している。）のための所定の演算処理の結果、無効券と判定されたときは、周知の自動改札機と同様に、ドアドライバ１３を介してドアＤ1，Ｄ2が閉じられて（図１参照）、改札通路Ｐの利用者の通過が阻止される。そして、この通過が阻止されたときは、ランプ３が報知灯ドライバ１４を介して赤色点灯して、係員（改札口コーナの係員、改札口にいる案内係員）に改札通路Ｐの通過阻止の発生が報知される。さらにこの場合、表示板５には、その通過阻止の原因が表示板ドライバ１６を介して表示されるとともに、表示画面２にも表示画面ドライバ１５を介して同様の内容が表示される。図１の例では、表示板５には、改札機本体Ｇで使用された乗車券類が他社の乗車券類等で、誤って使用されたために改札通路Ｐの通過が阻止されたことが示されている。
【００２０】
上述のように、表示板５には改札通路Ｐの通過が不許可になった理由が具体的に示されるので、案内係員はその表示を見るだけで、改札通路Ｐ内の利用者に対して速やかに適切なアドバイスを行うことができる。
【００２１】
図３（ａ）〜（ｅ）は、表示板５の他の表示例である。この図３（ａ）に示されるように、改札機本体Ｇ側のトラブルで通過拒否が行われる場合も表示されるので、そのトラブルの復旧を速やかに行うことが可能である。また、図３（ｅ）に示される表示例は、乗車券類として非接触券が使用されたときで、非接触券と改札機本体Ｇとの間のデータ授受が不調等のためにその非接触券を用いた入出場処理が正常に終了していない場合である。このように、本発明の通過不許可の原因には、改札機本体Ｇ側に起因する場合も含まれている。
【００２２】
図４（ａ），（ｂ）は、改札機本体Ｇが待機中のとき、及び改札通路Ｐの通過を許可しているときに表示板５に表示される内容を示している。ここでは、表示板５は商店等の広告板として用いられている例が示されている。このように表示板５を広告板としたときは、鉄道会社は広告収入を得ることができ、また利用者も有益な案内を受けることが可能となる。
【００２３】
上記図１及び図３（ａ）〜（ｅ）に示される案内内容並びに図４（ａ），（ｂ）に示される案内内容は、予め制御器Ｃのメモリ１１に記憶されるが、制御器Ｃに図示しない通信回線を介して接続されている上位機（駅務機器制御装置（駅制）からダウンロードしてメモリ１１に記憶するようにしてもよい。
【００２４】
なお、上述の例では、表示板５を進入表示板４と別に設けたが、進入表示板４を可変表示板として表示板５と進入表示板４とを兼用することもできる。また、表示板５は、進入表示板４の設けられている方の端面Ｇａに設けてもよい。すなわち、表示板５を進入表示板４の上、下又は左、右のいずれかの側に並設するようにしてもよい。さらに、上述の例では、改札機本体Ｇを磁気券及び非接触券の両方を処理する兼用型としたが、磁気券のみ又は非接触券のみの専用型にすることもできる。
【図面の簡単な説明】
【００２５】
【図１】本発明の一実施の形態に係る自動改札機の出口側の一部分の斜視図である。
【図２】制御器の概略構成を示すブロック図である。
【図３】表示板の表示例を示す図である。
【図４】表示板の表示例を示す図である。
【符号の説明】
【００２６】
Ａ    アンテナ
Ｃ    制御器
Ｄ1，Ｄ2    ドア
Ｇ    自動改札機の本体（改札機本体）
Ｇ1，Ｇ2    筐体
Ｇａ  端面
Ｇ´    センサ取付部
Ｐ    改札通路
１    取出口
２    表示画面
３    報知灯
４    進入表示板
５    表示板
１０    演算部（ＣＰＵ）
１１    メモリ
１２    カードハンドラドライバ
１３    ドアドライバ
１４    報知灯ドライバ
１５    表示画面ドライバ
１６    表示板ドライバ
１７    リーダライタ
【図１】
2006227883.tif 000003
【図２】
2006227883.tif 000004
【図３】
2006227883.tif 000005
【図４】
2006227883.tif 000006